(57)【要約】      （修正有）【課題】ステンレス材を用いることで生じる特有の問題をすべて解消し、加工及び現場施工が容易な壁面パネル取付構造体を提供する。【解決手段】下地壁面１にアンカー２で固定してなるＬ字形状のファスナー材３と、該ファスナー材に締結材５を介して係設してなるブラケット材４と、該ブラケット材に係設してなる上下１対の壁面パネル６と、から構成され、上側壁面パネルの下部構造として形成した嵌合部６ａを、前記ブラケット材に形成してなる膨出突起部４ａに嵌め込んでなり、下側壁面パネルの上部構造として形成した取付穴部６ｂを介し、ねじ材にて前記ブラケット材にねじ止め接合する。【選択図】      図１
2004176280.tif 000002
【特許請求の範囲】
【請求項１】
建造物の下地壁面に複数の壁面パネルを取り付けてなる壁面パネル取付構造体であって、
前記下地壁面にアンカーで固定してなるＬ字形状のファスナー材と、
該ファスナー材に締結材を介して係設してなるブラケット材と、
該ブラケット材に係設してなる上下１対の壁面パネルと、
から構成され、
上側壁面パネルの下部構造として形成した嵌合部を、前記ブラケット材に形成してなる膨出突起部に嵌め込んでなり、
下側壁面パネルの上部構造として形成した取付穴部を介し、ねじ材にて前記ブラケット材にねじ止め接合してなることを特徴とする壁面パネル取付構造体。
【請求項２】
前記ファスナー材に、前記締結材の廻り止めとなす廻り止め突起を形成してなることを特徴とする請求項１に記載の壁面パネル取付構造体。
【請求項３】
前記ブラケット材に、前記ファスナー材との締結に際してブラケット材の位置調整を自在に行うことを可能とするスロット穴を形成してなり、かつ、前記ブラケット材のファスナー材と接する側の面をＲ曲面部として形成してなることを特徴とする請求項１または２に記載の壁面パネル取付構造体。
【請求項４】
前記締結材に座金プレートを装着してなり、該座金プレートと前記ブラケット材との相対する面の少なくとも一方に刻み目部を形成してなることを特徴とする請求項１〜３のいずれかに記載の壁面パネル取付構造体。
【発明の詳細な説明】
【０００１】
【発明の属する技術分野】
本発明は、建造物の下地壁面に複数の壁面パネルを取り付けてなる壁面パネル取付構造体に関する。
【０００２】
【従来の技術】
外装用壁面パネルでは、アルミ板またはアルミ板を樹脂の表面に貼りつけた複合板がビル外壁等の建造物外装用として広く用いられている。
図４に、従来の外装用の壁面パネル１６をビルの外壁に適用した一例を示す。
壁面パネル１６のビル外壁面への取付は、略、次のようにして実施される。
【０００３】
まず、ビル壁面等の下地壁１の所定位置にアンカー２を用いてＳＵＳブラケット１３を配置する。ＳＵＳブラケット１３の上部側には、締結ボルト１５ａ  で上部ＳＵＳスライドプレート２１を取り付け、一方、下部側には、締結ボルト１５ｂ  で下部ＳＵＳスライドプレート２４を取り付ける。これらのスライドプレート２１、２４を用いることで、壁面パネル１６の取付位置の調整を容易に行うことができる。なお、素材としてＳＵＳ（ステンレス鋼）を用いるのは、雨水等の浸入に対しての耐食性を考慮してのことである。
【０００４】
そして、壁面パネル１６の下部側に取り付けたジョイントピンボルト２３を上部ＳＵＳスライドプレート２１に挿設したピンボルトキャップ２２に差し込むようにして取り付け、次に、壁面パネル１６の上部側に取り付けた吊りボルト２５を下部ＳＵＳスライドプレート２４の所定位置に挿通して固定する。ところで、図４では、ブラケット１３に配設したＳＵＳスライドプレート２１、２４を介してジョイントピンボルト２３と吊りボルト２５を取り付けているが、直接ブラケット１３に取り付けて固定する場合もある。なお、１９は、雨水防止用の水切りガスケットである。
【０００５】
次に、図５は、壁面パネル１６下部での上部ＳＵＳスライドプレート２１に挿設してなるピンボルトキャップ２２へのジョイントピンボルト２３の取付状態を示している。また、図６は、壁面パネル１６上部での下部ＳＵＳスライドプレート２４への吊りボルト２５の取り付けを示している。ここで、吊りボルト２５は、下部ＳＵＳスライドプレート２４に設けた鉤型切欠き部２４ａ  に挿通して固定する。こうすることで、締結ボルト１５ａ  を緩めて下部ＳＵＳスライドプレート２４をスライドすることで容易に吊りボルト２５を外すことができ、引き続いて、壁面パネル１６下部側でピンボルトキャップ２２からジョイントピンボルト２３を抜き出せば、容易に壁面パネル１６全体を取り外すことができる。
【０００６】
なお、この出願の発明に関連する先行技術文献情報としては、  例えば下記のものがある。
【０００７】
【特許文献１】
特開平１１−２１０１２３  号公報
【特許文献２】
特開平１１−２１０１５２  号公報
【０００８】
【発明が解決しようとする課題】
ところで、従来の壁面パネル工法では、上述のように、壁面パネルを固定するブラケット等の部材として形状が特殊なステンレス材（ＳＵＳ材）が使用されてきた。
しかしながら、ステンレス材の使用には、以下のような問題がある。
（１）  ステンレス材の素材費が高い。
（２）  素材をステンレスとすることで、一般の鋼材と比較し孔加工や折り曲げ加工等の加工性が悪くなる。
（３）  さらに、ブラケット等の形状が特殊であり、加工に手間がかかる。
（４）  よって、技術的な難易度が高いため、製作工場が限定される。また、従来の壁面パネル工法は、現場施工が難しく、各調整作業にも手間がかかり、取り外しも困難である。
（５）  専用のプレス金型を用いる等で、上記（２）  〜（４）  は解消されるが、標準形状のブラケット以外の製作が困難であり、特殊形状に対応することができない。
【０００９】
本発明は、以上のような、ステンレス材を用いることで生じる特有の問題をすべて解消し、加工及び現場施工が容易な壁面パネル取付構造体を提供するものである。
【００１０】
【課題を解決するための手段】
本発明は、壁面パネル取付構造体の主要構成部材であるブラケット材等の好適な素材としてアルミニウム材を採用することで、加工が容易で、かつ、製造コストの安い壁面パネル取付構造体を提供できる点に着目してなされた。
すなわち、本発明は、アルミニウム材の加工容易性を活用し、壁面パネル取付構造体を下記の構造とすることで上記課題を解決したのである。
▲１▼  建造物の下地壁面に複数の壁面パネルを取り付けてなる壁面パネル取付構造体であって、前記下地壁面にアンカーで固定してなるＬ字形状のファスナー材と、該ファスナー材に締結材を介して係設してなるブラケット材と、該ブラケット材に係設してなる上下１対の壁面パネルと、から構成され、上側壁面パネルの下部構造として形成した嵌合部を、前記ブラケット材に形成してなる膨出突起部に嵌め込んでなり、下側壁面パネルの上部構造として形成した取付穴部を介し、ねじ材にて前記ブラケット材にねじ止め接合してなることを特徴とする壁面パネル取付構造体。
▲２▼  前記ファスナー材に、前記締結材の廻り止めとなす廻り止め突起を形成してなることを特徴とする上記▲１▼に記載の壁面パネル取付構造体。
▲３▼  前記ブラケット材に、前記ファスナー材との締結に際してブラケット材の位置調整を自在に行うことを可能とするスロット穴を形成してなり、かつ、前記ブラケット材のファスナー材と接する側の面をＲ曲面部として形成してなることを特徴とする上記▲１▼または▲２▼に記載の壁面パネル取付構造体。
▲４▼  前記締結材に座金プレートを装着してなり、該座金プレートと前記ブラケット材との相対する面の少なくとも一方に刻み目部を形成してなることを特徴とする上記▲１▼〜▲３▼のいずれかに記載の壁面パネル取付構造体。
【００１１】
ただし、本発明では、加工が容易であれば特に素材をアルミニウム材に限定するものではなく、加工が困難であるステンレス材を素材から排除することを可能とした点を特徴とするものである。
【００１２】
【発明の実施の形態】
図１〜３に基づき、本発明の壁面パネル取付構造体の好適な実施の形態について説明する。なお、以下では、素材としてアルミニウム材を用いた場合について例示して説明する。また、図４〜６において既に説明した従来の壁面パネル取付構造体に適用の部材と同一の部材には同一の番号を付し、ここでの再度の説明を省略する。
【００１３】
図１は、本発明の壁面パネル取付構造体の全体の断面を模式的に示しており、図２は、その壁面パネル取付構造体に適用する構成部材とその組み立てについて示す断面模式図である。また、図３は、図１のＡ−Ａ視図である。
まず、下地壁面１にアンカー２を用いてＬ字型のファスナー材３を固定する。そして、ファスナー材３の上面側に、例えばボルト５ａとナット５ｂ等で構成される締結部材５を用いてブラケット材４を取り付ける。
【００１４】
ここで、ファスナー材３に穿設したボルト穴３ｂの周辺部には、ボルト５ａが廻らないようにするための廻り止め突起３ａを設けることを好適とする。
また、ブラケット材４には、スロット穴４ｅを設けておき、自在に取付位置調整が行えるようにしておく。また、ブラケット材４と座金プレート７の相対する面には、それぞれ刻み目部４ｄ、７ｄを刻設しておくことを好適とする（図３を参照）。こうすることで、ブラケット材４の位置調整を実施して締結完了後のブラケット材４の位置ずれを確実に防止することができる。
【００１５】
ところで、建造物の下地壁面１は、例えばコンクリートの打ちはなし面のままとされる例が多く、その仕上精度は決して良いものではなく、例えば、鉛直方向に対し１〜２°程度の傾斜も許容されているのが現状である。すなわち、下地壁面１全体が１〜２°程度の傾斜で波打っている場合もあり、その下地壁面１に垂直に取り付けたファスナー材３のブラケット材４を受ける水平面も実際には水平ではない。そのため、ブラケット材４の下面側をＲ状に加工してＲ曲面部４ｃとすることを好適とする。こうすることで、傾むいた状態にあるファスナー材３上でブラケット材４の位置調整を行い、容易に鉛直とすることができる。また、締結後のファスナー材３とブラケット材４は、Ｒ曲面部４ｃの１点（実際には、図１、２の紙面と直交する線となる。）で接触して保持され、更に、ブラケット材４と座金プレート７の刻み目部４ｄ、７ｄが噛み合うことから位置ずれを起こすこともない。
【００１６】
次に、ブラケット材４の鉛直方向端部には膨出突起部４ａを形成する。そして、その膨出突起部４ａに、壁面パネル６の下部側に設けてなる嵌合部６ａを嵌め込む。ここで、膨出突起部４ａは、例えば、球状、あるいは、扁平な楕円状等の形状とし、かどを取っておくことを好適とする。こうすることで、壁面パネル６の下部側をブラケット材４の膨出突起部４ａに嵌め込む際に、斜めから引っかかることもなく容易に嵌め込むことができ、容易に取り付けることができる。
【００１７】
そして、壁面パネル６の上部側に設けた取付穴部６ｂを介しねじ材８でブラケット材４のねじ止め部４ｂにねじ止めを行って壁面パネル６の取付を完了する。なお、ねじ材８としてタップねじを用いれば、あらかじめブラケット材４にねじ止め部４ｂを設けておく必要はなく、現場作業で容易にねじ止めできる。
【００１８】
【発明の効果】
４ｄ、７ｄの噛合により、パネルは、面外方向にはビル外壁に固定されるため、風圧荷重に対し、充分安全である。また、地震等の際の建造物の変形、いわゆる、層間変位が発生しても４ａ、６ａがスライドするため容易にその変形に追従し、壁面パネルの破損脱落を確実に防止することが可能となる。
【００１９】
また、ブラケット材等の各構成部材をアルミニウムとしたため、サッシバーと同様に伸展加工（押出加工）ができるので、製作も容易、かつ、安価であり、製作工場が限定されることもなく、様々な特殊形状にも容易に対応可能である。
要は、本発明のブラケットは、サッシと同じアルミ押出材で製作できるので、一見複雑に見えるが、加工は簡単にできる。また、軽量である。
【図面の簡単な説明】
【図１】本発明の壁面パネル取付構造体の模式断面図である。
【図２】本発明の壁面パネル取付構造体各要素の模式組立図である。
【図３】図１の壁面パネル取付構造体を上から見たＡ−Ａ視図である。
【図４】従来の壁面パネル取付構造体の一例を示す模式断面図である。
【図５】従来の壁面パネル下部の取付の一例を示す模式断面図である。
【図６】従来の壁面パネル上部の取付の一例を示す模式断面図である。
【符号の説明】
１        下地壁面
２        アンカー
３        ファスナー材
３ａ    廻り止め突起
３ｂ    ボルト穴
４        ブラケット材
４ａ    膨出突起部
４ｂ    ねじ止め部
４ｃ    Ｒ曲面部
４ｄ    刻み目部
４ｅ    スロット穴
５        締結部材
５ａ    ボルト
５ｂ    ナット
６        壁面パネル
６ａ    嵌合部
６ｂ    取付穴部
７    座金プレート
７ｄ    刻み目部
８    ねじ材
９    水切りガスケット
１２    ＳＵＳ座金
１３    ＳＵＳブラケット
１５ａ  、１５ｂ      締結ボルト
１６    壁面パネル
１９    水切りガスケット
２１    上部ＳＵＳスライドプレート
２２    ピンボルトキャップ
２３    ジョイントピンボルト
２４    下部ＳＵＳスライドプレート
２４ａ    鉤型切欠き部
２５    吊りボルト
【図１】
2004176280.tif 000003
【図２】
2004176280.tif 000004
【図３】
2004176280.tif 000005
【図４】
2004176280.tif 000006
【図５】
2004176280.tif 000007
【図６】
2004176280.tif 000008